(57)【要約】【課題】医用画像の読影効率を向上させる。【解決手段】医用画像を拡大又は縮小する旨の操作中、すなわち、マウスの左ボタンのマウスダウンイベントが取得されてから（ステップＳ１；ＹＥＳ）、マウスの左ボタンのマウスアップイベントが取得されるまでは（ステップＳ５；ＹＥＳ）、医用画像上にＣＡＤ結果が表示されるとともに（ステップＳ２）、マウスの前後方向の移動方向及び移動量に応じて医用画像の拡大縮小処理が実行される（ステップＳ４）。具体的には、マウスが前に移動された場合には拡大処理、マウスが後ろに移動された場合には縮小処理が実行される。マウスの左ボタンのマウスアップイベントが取得された場合には（ステップＳ５；ＹＥＳ）、医用画像上のＣＡＤ結果は非表示とされ、医用画像のみが表示部に表示される（ステップＳ６）。【選択図】図５
2011110174.tif 000002
【特許請求の範囲】
【請求項１】
医用画像と当該医用画像から検出された異常陰影候補の位置を示す検出結果情報とを対応付けて記憶する記憶手段と、
前記医用画像の全体又は一部分を表示する表示手段と、
前記医用画像中の前記表示手段に表示される表示対象領域を変更する旨の操作を受け付ける操作手段と、
前記記憶手段に記憶されている医用画像及び当該医用画像に対応付けられた検出結果情報に基づいて、前記表示対象領域を変更する旨の操作中は、当該操作に応じて前記表示対象領域を変更させながら前記医用画像を前記表示手段に表示させるとともに、前記医用画像上の異常陰影候補の位置にマークを付加して表示させ、前記表示対象領域を変更する旨の操作終了後は、前記変更された表示対象領域で前記医用画像のみを前記表示手段に表示させる制御手段と、
を備える医用画像表示システム。
【請求項２】
前記表示対象領域の変更は、前記医用画像の拡大又は縮小である、
請求項１に記載の医用画像表示システム。
【請求項３】
前記表示対象領域の変更は、前記表示対象領域の移動である、
請求項１に記載の医用画像表示システム。
【請求項４】
コンピュータを、
医用画像の全体又は一部分を表示する表示手段、
医用画像中の前記表示手段に表示される表示対象領域を変更する旨の操作を受け付ける操作手段、
前記医用画像と当該医用画像から検出された異常陰影候補の位置を示す検出結果情報とを対応付けて記憶する記憶手段に記憶されている医用画像及び当該医用画像に対応付けられた検出結果情報に基づいて、前記表示対象領域を変更する旨の操作中は、当該操作に応じて前記表示対象領域を変更させながら前記医用画像を前記表示手段に表示させるとともに、前記医用画像上の異常陰影候補の位置にマークを付加して表示させ、前記表示対象領域を変更する旨の操作終了後は、前記変更された表示対象領域で前記医用画像のみを前記表示手段に表示させる制御手段、
として機能させるためのプログラム。
【請求項５】
前記表示対象領域の変更は、前記医用画像の拡大又は縮小である、
請求項４に記載のプログラム。
【請求項６】
前記表示対象領域の変更は、前記表示対象領域の移動である、
請求項４に記載のプログラム。
【発明の詳細な説明】
【技術分野】
【０００１】
本発明は、医用画像表示システム及びプログラムに関する。
【背景技術】
【０００２】
近年、女性の乳癌の罹患率が上昇傾向にある。乳癌は、早期に発見されれば治癒率が高い病気であり、早期発見のため、定期的に検診を行うことが推奨されている。乳癌の発見率を向上させるためには、乳房をＸ線撮影した画像に対してオーバーリーディングを行うことが有効であると言われている。オーバーリーディングとは、患者を撮影した医用画像を第１の医師が読影した後、第２の医師が読影を行うことである。しかし、現在、乳癌検診において、乳房画像の読影医の数は絶対的に不足しており、十分な検診を行うことができないのが実情であった。
【０００３】
そのような状況の中、コンピュータ技術の発展により、コンピュータによる診断支援機能（ＣＡＤ：Computer-Aided Diagnosis）が登場した。この機能は、デジタル撮影された医用画像（主にＣＲ画像）の解析を行い、病変と思われる領域に対して注釈を付加してディスプレイ上で表示を行い、医師の読影を助ける機能である。乳房画像に対しては、腫瘤や微小石灰化等の病変の可能性がある異常陰影候補領域が検出される。デジタル画像診断においてＣＡＤの有効性が確認されており、様々なメーカから製品が出されている。
【０００４】
例えば、予め指定された条件に合致する部分にマークを付けて医用画像を表示する画像処理方法において、各マークの表示／非表示を選択可能とするものが提案されている（特許文献１参照）。条件として、例えば、悪性腫瘍等の病変の疑わしい部分を全てマークする、より悪性度の高い部分に限定してマークする、最も悪性度の高い部分に限定してマークする等が挙げられる。
【０００５】
一般に、医用画像上に異常陰影候補の位置を示すＣＡＤ結果が表示されている状態で、ＣＡＤ結果の表示／非表示を切り替える際には、操作画面上のメニューからＣＡＤ結果の表示／非表示を選択したり、キーパッドからその旨の指示を入力したりする等、ユーザが明示的にＣＡＤ結果の表示／非表示を指示する必要がある。
【先行技術文献】
【特許文献】
【０００６】
【特許文献１】特開２００４−１５９７３９号公報
【発明の概要】
【発明が解決しようとする課題】
【０００７】
しかしながら、医用画像上にＣＡＤ結果が表示されていると、実際に読影を行う場合には、病変部とＣＡＤ結果とが重なる可能性もあるので、読影の妨げになる場合があった。病変部とＣＡＤ結果とが重なっている場合には、ＣＡＤ結果を非表示にして読影を行わなければならないため、ユーザにとって煩雑な作業となり、読影効率を低下させるという問題が生じていた。
【０００８】
本発明は、上記の従来技術における問題に鑑みてなされたものであって、医用画像の読影効率を向上させることを課題とする。
【課題を解決するための手段】
【０００９】
上記課題を解決するために、請求項１に記載の医用画像表示システムは、医用画像と当該医用画像から検出された異常陰影候補の位置を示す検出結果情報とを対応付けて記憶する記憶手段と、前記医用画像の全体又は一部分を表示する表示手段と、前記医用画像中の前記表示手段に表示される表示対象領域を変更する旨の操作を受け付ける操作手段と、前記記憶手段に記憶されている医用画像及び当該医用画像に対応付けられた検出結果情報に基づいて、前記表示対象領域を変更する旨の操作中は、当該操作に応じて前記表示対象領域を変更させながら前記医用画像を前記表示手段に表示させるとともに、前記医用画像上の異常陰影候補の位置にマークを付加して表示させ、前記表示対象領域を変更する旨の操作終了後は、前記変更された表示対象領域で前記医用画像のみを前記表示手段に表示させる制御手段と、を備える。
【００１０】
請求項２に記載の発明は、請求項１に記載の医用画像表示システムにおいて、前記表示対象領域の変更は、前記医用画像の拡大又は縮小である。
【００１１】
請求項３に記載の発明は、請求項１に記載の医用画像表示システムにおいて、前記表示対象領域の変更は、前記表示対象領域の移動である。
【００１２】
請求項４に記載の発明は、コンピュータを、医用画像の全体又は一部分を表示する表示手段、医用画像中の前記表示手段に表示される表示対象領域を変更する旨の操作を受け付ける操作手段、前記医用画像と当該医用画像から検出された異常陰影候補の位置を示す検出結果情報とを対応付けて記憶する記憶手段に記憶されている医用画像及び当該医用画像に対応付けられた検出結果情報に基づいて、前記表示対象領域を変更する旨の操作中は、当該操作に応じて前記表示対象領域を変更させながら前記医用画像を前記表示手段に表示させるとともに、前記医用画像上の異常陰影候補の位置にマークを付加して表示させ、前記表示対象領域を変更する旨の操作終了後は、前記変更された表示対象領域で前記医用画像のみを前記表示手段に表示させる制御手段、として機能させるためのプログラムである。
【００１３】
請求項５に記載の発明は、請求項４に記載のプログラムにおいて、前記表示対象領域の変更は、前記医用画像の拡大又は縮小である。
【００１４】
請求項６に記載の発明は、請求項４に記載のプログラムにおいて、前記表示対象領域の変更は、前記表示対象領域の移動である。
【発明の効果】
【００１５】
本発明によれば、表示対象領域を変更する旨の操作中は、医用画像上の異常陰影候補の位置にマークを付加して表示させ、表示対象領域を変更する旨の操作終了後は、医用画像のみを表示手段に表示させるので、医用画像の読影効率を向上させることができる。
【図面の簡単な説明】
【００１６】
【図１】医用画像表示システムのシステム構成図である。
【図２】ＣＡＤ装置の機能的構成を示すブロック図である。
【図３】画像サーバ装置の機能的構成を示すブロック図である。
【図４】クライアント端末の機能的構成を示すブロック図である。
【図５】第１の実施の形態におけるクライアント端末において実行される医用画像表示処理Ａを示すフローチャートである。
【図６】（ａ）は、拡大前の医用画像である。（ｂ）は、拡大処理中の医用画像である。（ｃ）は、拡大後の医用画像である。
【図７】第２の実施の形態におけるクライアント端末において実行される医用画像表示処理Ｂを示すフローチャートである。
【図８】（ａ）は、移動前の医用画像である。（ｂ）は、移動処理中の医用画像である。（ｃ）は、移動後の医用画像である。
【発明を実施するための形態】
【００１７】
［第１の実施の形態］
まず、図１〜図６を参照して、本発明に係る医用画像表示システムの第１の実施の形態について説明する。
図１に、第１の実施の形態における医用画像表示システム１００のシステム構成を示す。図１に示すように、医用画像表示システム１００は、モダリティ１０、ＣＡＤ装置２０、画像サーバ装置３０及びクライアント端末４０が、ＬＡＮ（Local Area Network）等のネットワークＮを介してデータ通信可能に接続されて構成されている。ネットワークＮは、ＤＩＣＯＭ（Digital Imaging and Communications in Medicine）規格が適用されている。
【００１８】
モダリティ１０は、患者を撮影して医用画像の画像データのファイル（以下、画像ファイルという。）Ｄ１（図２参照）を生成し、この画像ファイルＤ１をＣＡＤ装置２０及び画像サーバ装置３０へそれぞれ送信する。モダリティ１０としては、ＣＲ（Computed Radiography）装置、ＤＸ（Digital X-Ray）装置等が用いられる。
【００１９】
ＣＡＤ装置２０は、モダリティ１０から医用画像の画像ファイルＤ１を受信し、医用画像の画像解析を行い、異常陰影候補の検出を行う。そして、ＣＡＤ装置２０は、検出された異常陰影候補の位置を示す検出結果情報（以下、ＣＡＤ結果ファイルという。）Ｄ２を生成する。
【００２０】
図２に、ＣＡＤ装置２０の機能的構成を示す。図２に示すように、ＣＡＤ装置２０は、制御部２１、操作部２２、表示部２３、通信部２４、ＲＯＭ（Read Only Memory）２５、記憶部２６を備えて構成され、各部はバス２７により接続されている。
【００２１】
制御部２１は、ＣＰＵ（Central Processing Unit）、ＲＡＭ（Random Access Memory）等から構成され、ＣＡＤ装置２０の各部の処理動作を統括的に制御する。具体的には、ＣＰＵは、操作部２２から入力される操作信号又は通信部２４により受信される指示信号に応じて、ＲＯＭ２５又は記憶部２６に記憶されている各種処理プログラムを読み出し、ＲＡＭ内に形成されたワークエリアに展開し、当該プログラムとの協働により各種処理を行う。
【００２２】
操作部２２は、カーソルキー、数字入力キー、及び各種機能キー等を備えたキーボードと、マウス等のポインティングデバイスを備えて構成され、キーボードに対するキー操作やマウス操作により入力された操作信号を制御部２１に出力する。
【００２３】
表示部２３は、ＬＣＤ（Liquid Crystal Display）により構成され、制御部２１から入力される表示データに基づいて各種画面を表示する。
【００２４】
通信部２４は、モダリティ１０、画像サーバ装置３０等の外部機器との間でデータの送受信を行うインターフェースである。
【００２５】
ＲＯＭ２５は、不揮発性の半導体メモリ等により構成され、制御プログラム、当該プログラムの実行に必要なパラメータやファイル等を記憶している。
【００２６】
記憶部２６は、ハードディスク等により構成され、各種データを記憶する。具体的には、記憶部２６には、異常陰影の種類に応じた検出アルゴリズムに従って異常陰影候補の検出を行う検出プログラムが記憶されている。また、記憶部２６には、画像ファイルＤ１、ＣＡＤ結果ファイルＤ２が記憶される。
【００２７】
制御部２１は、記憶部２６に記憶されている検出プログラムとの協働により、医用画像から異常陰影候補を検出し、ＣＡＤ結果ファイルＤ２を生成する。ＣＡＤ結果ファイルＤ２に含まれる各異常陰影候補の位置は、医用画像内において各異常陰影候補の領域（輪郭）を示すものであってもよいし、各異常陰影候補の代表点（例えば重心等）を示すものであってもよい。例えば、ＣＡＤ装置２０は、乳房画像から腫瘤、微小石灰化等の異常陰影候補を検出する。
【００２８】
異常陰影候補の検出アルゴリズムとしては、公知のものを適用可能である。乳房画像における腫瘤の検出アルゴリズムとしては、例えば、アイリスフィルタ、ラプラシアンフィルタ等を用いた方法が適用可能である。また、微小石灰化の検出アルゴリズムとしては、例えば、モルフォロジーフィルタ、ラプラシアンフィルタ、３重リングフィルタ等を用いた方法が適用可能である。
【００２９】
制御部２１は、ＣＡＤ結果ファイルＤ２を、通信部２４を介して画像サーバ装置３０に送信する。
【００３０】
画像サーバ装置３０は、ＰＡＣＳ（Picture Archiving and Communication System）により構成され、モダリティ１０から受信した画像ファイルＤ１等を保存し、クライアント端末４０等の外部機器からの要求に応じて画像ファイルＤ１等を提供する。
【００３１】
図３に、画像サーバ装置３０の機能的構成を示す。図３に示すように、画像サーバ装置３０は、制御部３１、操作部３２、表示部３３、通信部３４、ＲＯＭ３５、記憶部３６を備えて構成され、各部はバス３７により接続されている。
【００３２】
制御部３１は、ＣＰＵ、ＲＡＭ等から構成され、画像サーバ装置３０の各部の処理動作を統括的に制御する。具体的には、ＣＰＵは、操作部３２から入力される操作信号又は通信部３４により受信される指示信号に応じて、ＲＯＭ３５又は記憶部３６に記憶されている各種処理プログラムを読み出し、ＲＡＭ内に形成されたワークエリアに展開し、当該プログラムとの協働により各種処理を行う。
【００３３】
操作部３２は、カーソルキー、数字入力キー、及び各種機能キー等を備えたキーボードと、マウス等のポインティングデバイスを備えて構成され、キーボードに対するキー操作やマウス操作により入力された操作信号を制御部３１に出力する。
【００３４】
表示部３３は、ＬＣＤにより構成され、制御部３１から入力される表示データに基づいて各種画面を表示する。
【００３５】
通信部３４は、モダリティ１０、ＣＡＤ装置２０、クライアント端末４０等の外部機器との間でデータの送受信を行うインターフェースである。
【００３６】
ＲＯＭ３５は、不揮発性の半導体メモリ等により構成され、制御プログラム、当該プログラムの実行に必要なパラメータやファイル等を記憶している。
【００３７】
記憶部３６は、ハードディスク等により構成され、各種データを記憶する。具体的には、記憶部３６には、モダリティ１０から受信した画像ファイルＤ１と、ＣＡＤ装置２０から受信したＣＡＤ結果ファイルＤ２と、が対応付けられて記憶される。
【００３８】
制御部３１は、通信部３４を介してモダリティ１０から画像ファイルＤ１を取得する。また、制御部３１は、画像ファイルＤ１を解析して得られたＣＡＤ結果ファイルＤ２を、通信部３４を介してＣＡＤ装置２０から取得する。そして、制御部３１は、取得した画像ファイルＤ１とＣＡＤ結果ファイルＤ２とを対応付けて記憶部３６に記憶させる。
【００３９】
制御部３１は、クライアント端末４０から画像ファイルＤ１の取得要求があった場合に、要求された画像ファイルＤ１及び当該画像ファイルＤ１に対応付けられているＣＡＤ結果ファイルＤ２を記憶部３６から読み出し、クライアント端末４０に送信する。
【００４０】
クライアント端末４０は、画像サーバ装置３０から取得した画像ファイルＤ１に基づいて医用画像を表示させ、当該医用画像の読影を行うための装置であって、ＰＣ（Personal Computer）等から構成される。
【００４１】
図４に、クライアント端末４０の機能的構成を示す。図４に示すように、クライアント端末４０は、制御部４１、操作部４２、表示部４３、通信部４４、ＲＯＭ４５、記憶部４６、メモリ４７を備え、各部はバス４８により接続されている。
【００４２】
制御部４１は、ＣＰＵ、ＲＡＭ等から構成され、クライアント端末４０の各部の処理動作を統括的に制御する。具体的には、ＣＰＵは、操作部４２から入力される操作信号又は通信部４４により受信される指示信号に応じて、ＲＯＭ４５又は記憶部４６に記憶されている各種処理プログラムを読み出し、ＲＡＭ内に形成されたワークエリアに展開し、当該プログラムとの協働により各種処理を行う。
【００４３】
操作部４２は、ユーザによる操作指示を受け付ける機能部である。操作部４２は、カーソルキー、数字入力キー、及び各種機能キー等を備えたキーボードと、マウス等のポインティングデバイスを備えて構成され、キーボードに対するキー操作やマウス操作により入力された操作信号を制御部４１に出力する。例えば、操作部４２は、マウスに設けられた各ボタンのダウン・アップに応じた操作信号や、マウスの移動方向及び移動量に応じた操作信号を制御部４１に出力する。
【００４４】
表示部４３は、ＬＣＤにより構成され、制御部４１から入力される表示データに基づいて各種画面を表示する。例えば、表示部４３は、読影対象となる医用画像の全体又は一部分を表示する。
【００４５】
通信部４４は、画像サーバ装置３０等の外部機器との間でデータの送受信を行うインターフェースである。
【００４６】
ＲＯＭ４５は、不揮発性の半導体メモリ等により構成され、制御プログラム、当該プログラムの実行に必要なパラメータやファイル等を記憶している。
【００４７】
記憶部４６は、ハードディスク等により構成され、各種データを記憶する。例えば、記憶部４６には、読影を行う際に医用画像を表示部４３に表示させるための画像ビューワプログラム４６１が記憶されている。
【００４８】
メモリ４７は、半導体メモリ等により構成され、処理中のデータを記憶する。具体的には、メモリ４７には、画像サーバ装置３０から取得した画像ファイルＤ１及びＣＡＤ結果ファイルＤ２等が記憶される。
【００４９】
制御部４１は、通信部４４を介して、画像サーバ装置３０に対して、記憶部３６に記憶されている医用画像の画像ファイルＤ１の取得要求を送信し、画像サーバ装置３０から医用画像の画像ファイルＤ１、及び、当該画像ファイルＤ１と対応付けられているＣＡＤ結果ファイルＤ２を取得する。
【００５０】
制御部４１は、取得した画像ファイルＤ１及びＣＡＤ結果ファイルＤ２に基づいて、操作部４２において表示対象領域を変更する旨の操作中は、当該操作に応じて表示対象領域を変更させながら医用画像を表示部４３に表示させるとともに、医用画像上の異常陰影候補の位置にマークを付加して表示させ、操作部４２において表示対象領域を変更する旨の操作終了後は、変更された表示対象領域で医用画像のみを表示部４３に表示させる。
【００５１】
なお、異常陰影候補の位置にマークを付加する際には、異常陰影候補領域の輪郭（境界線）を図示するようにマークを付加してもよいし（ＣＡＤアウトライン）、異常陰影候補領域の代表点にマークを付加してもよい。
【００５２】
ここで、医用画像中の表示対象領域の変更の一例として、医用画像を拡大又は縮小する際の操作方法について説明する。医用画像が表示部４３に表示された状態で、操作画面上においてズームモードが選択されると、医用画像を拡大又は縮小する旨の操作が可能となる。ズームモードとは、医用画像の拡大又は縮小を行うモードである。
【００５３】
具体的には、医用画像を拡大する場合には、ユーザは、マウスの左ボタンをダウンした状態でマウスを前（ユーザから遠ざかる向き）に移動させる。一方、医用画像を縮小する場合には、ユーザは、マウスの左ボタンをダウンした状態でマウスを後ろ（ユーザに近付く向き）に移動させる。制御部４１は、マウスのダウン操作からアップ操作までの間は、マウスの前後方向の移動量に応じて医用画像の拡大縮小処理を実行する。
【００５４】
次に、動作について説明する。
図５は、クライアント端末４０において実行される医用画像表示処理Ａを示すフローチャートである。この処理は、制御部４１のＣＰＵと、記憶部４６に記憶されている画像ビューワプログラム４６１との協働によるソフトウェア処理によって実現される。
【００５５】
まず、ユーザの操作部４２からの操作により、読影対象となる医用画像の画像ファイルＤ１が選択され、制御部４１の制御に従って、通信部４４により、画像サーバ装置３０に対して、選択された医用画像の画像ファイルＤ１の取得要求が送信される。そして、制御部４１により、通信部４４を介して、画像サーバ装置３０から医用画像の画像ファイルＤ１及び当該画像ファイルＤ１と対応付けられたＣＡＤ結果ファイルＤ２が取得され、メモリ４７上にロードされる。次に、制御部４１により、医用画像の画像ファイルＤ１に基づいて、医用画像が表示部４３に表示される。ここで、ユーザによる操作部４２からの操作により、ズームモードが選択される。
【００５６】
ズームモードの選択後、制御部４１により、操作部４２から出力される操作信号に基づいて、マウスの左ボタンのマウスダウンイベントが取得されたか否かが判断される（ステップＳ１）。マウスの左ボタンのマウスダウンイベントが取得されるまでは、待機状態となる。
【００５７】
マウスの左ボタンのマウスダウンイベントが取得されると（ステップＳ１；ＹＥＳ）、制御部４１により、ＣＡＤ結果ファイルＤ２に基づいて、表示部４３に表示されている医用画像上にＣＡＤ結果が表示される（ステップＳ２）。具体的には、制御部４１により、表示部４３に表示されている医用画像上の異常陰影候補の位置にマークが付加されて表示される。
【００５８】
次に、制御部４１により、操作部４２から出力される操作信号に基づいて、マウスの前後方向の移動があったか否かが判断される（ステップＳ３）。マウスの前後方向の移動があった場合には（ステップＳ３；ＹＥＳ）、制御部４１により、医用画像の拡大縮小処理が実行される（ステップＳ４）。具体的には、制御部４１により、操作部４２から出力される操作信号に基づいて、マウスの前後方向の移動方向及び移動量が取得される。そして、マウスが前（ユーザから遠ざかる向き）に移動された場合には、制御部４１により、マウスの移動量に応じて医用画像の拡大率が算出され、マウスが後ろ（ユーザに近付く向きに移動された場合には、制御部４１により、マウスの移動量に応じて医用画像の縮小率が算出される。次いで、制御部４１により、算出された拡大率又は縮小率に応じて医用画像が拡大又は縮小されて表示部４３に表示されるとともに、医用画像上の異常陰影候補の位置に付加されているマークについても同様の拡大率又は縮小率に応じて拡大又は縮小されて表示される。
【００５９】
ステップＳ３においてマウスの前後方向の移動がない場合（ステップＳ３；ＮＯ）、又は、ステップＳ４の後、制御部４１により、操作部４２から出力される操作信号に基づいて、マウスの左ボタンのマウスアップイベントが取得されたか否かが判断される（ステップＳ５）。マウスの左ボタンのマウスアップイベントが取得されない場合には（ステップＳ５；ＮＯ）、ステップＳ３に戻り、ステップＳ３〜ステップＳ５の処理が繰り返される。
【００６０】
ステップＳ５においてマウスの左ボタンのマウスアップイベントが取得された場合には（ステップＳ５；ＹＥＳ）、制御部４１により、表示部４３に表示されている医用画像上のＣＡＤ結果（マーク）は非表示とされ、医用画像のみが表示部４３に表示される（ステップＳ６）。
以上で、医用画像表示処理Ａが終了する。
【００６１】
図６（ａ）〜（ｃ）に、表示部４３に表示される医用画像（乳房画像）の例を示す。図６（ａ）は拡大前の医用画像であり、図６（ｂ）は拡大処理中の医用画像であり、図６（ｃ）は拡大後の医用画像である。
【００６２】
図６（ａ）に示すように、拡大前には、医用画像上にＣＡＤ結果は表示されていない。図６（ａ）に示す状態で、マウスの左ボタンのダウン操作が行われると、図６（ｂ）に示すように、医用画像上に異常陰影候補の位置を示すマークＭ１が表示される。
【００６３】
マウスの左ボタンが押下されたままマウスが前に移動されると、移動量に応じて医用画像が拡大される。医用画像の拡大に応じて、医用画像上に表示されるマークＭ１も拡大される。
【００６４】
マークＭ１が表示されている状態で、マウスの左ボタンのアップ操作が行われると、医用画像上のマークＭ１が非表示となる。図６（ａ）から図６（ｂ）を経て図６（ｃ）に至るまでの間、すなわち、マウスのダウン操作からアップ操作までは、医用画像上にマークＭ１が表示されるが、医用画像を拡大する旨の操作終了後は、医用画像のみが表示される。
【００６５】
以上説明したように、第１の実施の形態における医用画像表示システム１００によれば、クライアント端末４０において、表示対象領域を変更する旨の操作中は、医用画像上の異常陰影候補の位置にマークを付加して表示させ、表示対象領域を変更する旨の操作終了後は、医用画像のみを表示部４３に表示させるので、医用画像の読影効率を向上させることができる。
【００６６】
具体的には、クライアント端末４０では、マウスのダウンイベントを拡大縮小処理の開始の合図とし、マウスの前後方向の移動量を用いて拡大縮小処理を行い、マウスのアップイベントを拡大縮小処理の終了の合図としている。このように、マウスにおける操作に応じて医用画像の拡大縮小処理を行うとともに、ＣＡＤ結果の表示／非表示の制御を行うので、適切なタイミングでＣＡＤ結果を表示又は非表示とすることができる。医用画像の拡大縮小処理を行っている間は、ＣＡＤ結果を表示させて読影医に注意を喚起することができる一方で、医用画像の拡大縮小処理が終了した後は、ＣＡＤ結果を非表示として、ＣＡＤ結果の表示が病変部等と重なるのを防ぐことができる。
【００６７】
［第２の実施の形態］
次に、本発明を適用した第２の実施の形態について説明する。
第２の実施の形態における医用画像表示システムは、第１の実施の形態に示した医用画像表示システム１００と同様の構成によってなるため、図１〜図４を援用し、その構成については図示及び説明を省略する。以下、第２の実施の形態に特徴的な構成及び処理について説明する。
【００６８】
クライアント端末４０において行われる、医用画像中の表示部４３に表示される表示対象領域の変更の一例として、表示対象領域を移動する際の操作方法について説明する。表示対象領域の移動とは、医用画像の面内において表示対象領域を移動させることをいう。医用画像が表示部４３に表示された状態で、操作画面上においてパンモードが選択されると、医用画像中の表示対象領域を移動する旨の操作が可能となる。パンモードとは、医用画像中の表示対象領域の移動を行うモードである。
【００６９】
具体的には、医用画像を移動させる場合には、ユーザは、マウスの左ボタンをダウンした状態でマウスを前後左右に移動させる。制御部４１は、マウスのダウン操作からアップ操作までの間は、マウスの移動方向及び移動量に応じて医用画像中の表示対象領域の移動処理を実行する。例えば、ユーザがマウスの左ボタンをダウンした状態でマウスを右に移動させた場合には、医用画像中の表示対象領域は右に移動する。また、ユーザがマウスの左ボタンをダウンした状態でマウスを前（ユーザから遠ざかる向き）に移動させた場合には、医用画像中の表示対象領域は上に移動する。
【００７０】
次に、動作について説明する。
図７は、クライアント端末４０において実行される医用画像表示処理Ｂを示すフローチャートである。この処理は、制御部４１のＣＰＵと、記憶部４６に記憶されている画像ビューワプログラム４６１との協働によるソフトウェア処理によって実現される。
【００７１】
まず、ユーザの操作部４２からの操作により、読影対象となる医用画像の画像ファイルＤ１が選択され、制御部４１の制御に従って、通信部４４により、画像サーバ装置３０に対して、選択された医用画像の画像ファイルＤ１の取得要求が送信される。そして、制御部４１により、通信部４４を介して、画像サーバ装置３０から医用画像の画像ファイルＤ１及び当該画像ファイルＤ１と対応付けられたＣＡＤ結果ファイルＤ２が取得され、メモリ４７上にロードされる。次に、制御部４１により、医用画像の画像ファイルＤ１に基づいて、医用画像が表示部４３に表示される。ここで、ユーザによる操作部４２からの操作により、パンモードが選択される。
【００７２】
パンモードの選択後、制御部４１により、操作部４２から出力される操作信号に基づいて、マウスの左ボタンのマウスダウンイベントが取得されたか否かが判断される（ステップＳ１１）。マウスの左ボタンのマウスダウンイベントが取得されるまでは、待機状態となる。
【００７３】
マウスの左ボタンのマウスダウンイベントが取得されると（ステップＳ１１；ＹＥＳ）、制御部４１により、ＣＡＤ結果ファイルＤ２に基づいて、表示部４３に表示されている医用画像上にＣＡＤ結果が表示される（ステップＳ１２）。具体的には、制御部４１により、表示部４３に表示されている医用画像上の異常陰影候補の位置にマークが付加されて表示される。
【００７４】
次に、制御部４１により、操作部４２から出力される操作信号に基づいて、マウスの移動があったか否かが判断される（ステップＳ１３）。マウスの移動があった場合には（ステップＳ１３；ＹＥＳ）、制御部４１により、医用画像中の表示対象領域の移動処理が実行される（ステップＳ１４）。具体的には、制御部４１により、操作部４２から出力される操作信号に基づいて、マウスの移動方向及び移動量が取得される。そして、制御部４１により、マウスの移動方向及び移動量に応じて移動後の表示対象領域が算出される。次いで、制御部４１により、算出された表示対象領域が表示部４３に表示されるとともに、医用画像上の異常陰影候補の位置に付加されているマークについても同様に移動されて表示される。
【００７５】
ステップＳ１３においてマウスの移動がない場合（ステップＳ１３；ＮＯ）、又は、ステップＳ１４の後、制御部４１により、操作部４２から出力される操作信号に基づいて、マウスの左ボタンのマウスアップイベントが取得されたか否かが判断される（ステップＳ１５）。マウスの左ボタンのマウスアップイベントが取得されない場合には（ステップＳ１５；ＮＯ）、ステップＳ１３に戻り、ステップＳ１３〜ステップＳ１５の処理が繰り返される。
【００７６】
ステップＳ１５においてマウスの左ボタンのマウスアップイベントが取得された場合には（ステップＳ１５；ＹＥＳ）、制御部４１により、表示部４３に表示されている医用画像上のＣＡＤ結果（マーク）は非表示とされ、医用画像のみが表示部４３に表示される（ステップＳ１６）。
以上で、医用画像表示処理Ｂが終了する。
【００７７】
図８（ａ）〜（ｃ）に、表示部４３に表示される医用画像（乳房画像）の例を示す。図８（ａ）は移動前の医用画像であり、図８（ｂ）は移動処理中の医用画像であり、図８（ｃ）は移動後の医用画像である。
【００７８】
図８（ａ）に示すように、移動前には、医用画像上にＣＡＤ結果は表示されていない。図８（ａ）に示す状態で、マウスの左ボタンのダウン操作が行われると、図８（ｂ）に示すように、医用画像上に異常陰影候補の位置を示すマークＭ２が表示される。
【００７９】
マウスの左ボタンが押下されたままマウスがいずれかの方向に移動されると、移動方向及び移動量に応じて表示対象領域が移動される。表示対象領域の移動に応じて、医用画像上に表示されるマークＭ２も移動される。
【００８０】
マークＭ２が表示されている状態で、マウスの左ボタンのアップ操作が行われると、医用画像上のマークＭ２が非表示となる。図８（ａ）から図８（ｂ）を経て図８（ｃ）に至るまでの間、すなわち、マウスのダウン操作からアップ操作までは、医用画像上にマークＭ２が表示されるが、表示対象領域を移動する旨の操作終了後は、医用画像のみが表示される。
【００８１】
以上説明したように、第２の実施の形態における医用画像表示システムによれば、クライアント端末４０において、表示対象領域を変更する旨の操作中は、医用画像上の異常陰影候補の位置にマークを付加して表示させ、表示対象領域を変更する旨の操作終了後は、医用画像のみを表示部４３に表示させるので、医用画像の読影効率を向上させることができる。
【００８２】
具体的には、クライアント端末４０では、マウスのダウンイベントを移動処理の開始の合図とし、マウスの移動方向及び移動量を用いて移動処理を行い、マウスのアップイベントを移動処理の終了の合図としている。このように、マウスにおける操作に応じて表示対象領域の移動処理を行うとともに、ＣＡＤ結果の表示／非表示の制御を行うので、適切なタイミングでＣＡＤ結果を表示又は非表示とすることができる。表示対象領域の移動処理を行っている間は、ＣＡＤ結果を表示させて読影医に注意を喚起することができる一方で、表示対象領域の移動処理が終了した後は、ＣＡＤ結果を非表示として、ＣＡＤ結果の表示が病変部等と重なるのを防ぐことができる。
【００８３】
なお、上記各実施の形態における記述は、本発明に係る医用画像表示システムの例であり、これに限定されるものではない。システムを構成する各装置の細部構成及び細部動作に関しても本発明の趣旨を逸脱することのない範囲で適宜変更可能である。
【００８４】
例えば、上記各実施の形態では、医用画像表示システム１００が独立した装置としてＣＡＤ装置２０を備える構成としたが、画像サーバ装置３０の内部にＣＡＤ装置２０を包含する形を取ってもよい。
【００８５】
また、上記各実施の形態では、マウスの左ボタンのダウン・アップ操作により、表示対象領域を変更する操作の開始・終了を指示することとしたが、これに限定するものではない。操作画面上に表示されている所定のボタンの選択や、キーボードから所定のキー入力を行うことにより、表示対象領域を変更する操作の開始・終了を指示することとしてもよい。
【００８６】
以上の説明では、各処理を実行するためのプログラムを格納したコンピュータ読み取り可能な媒体としてＲＯＭやハードディスク等を使用した例を開示したが、この例に限定されない。その他のコンピュータ読み取り可能な媒体として、フラッシュメモリ等の不揮発性メモリ、ＣＤ−ＲＯＭ等の可搬型記録媒体を適用することも可能である。また、プログラムのデータを通信回線を介して提供する媒体として、キャリアウェーブ（搬送波）を適用することとしてもよい。
【符号の説明】
【００８７】
１０  モダリティ
２０  ＣＡＤ装置
２１  制御部
２２  操作部
２３  表示部
２４  通信部
２５  ＲＯＭ
２６  記憶部
２７  バス
３０  画像サーバ装置
３１  制御部
３２  操作部
３３  表示部
３４  通信部
３５  ＲＯＭ
３６  記憶部
３７  バス
４０  クライアント端末
４１  制御部
４２  操作部
４３  表示部
４４  通信部
４５  ＲＯＭ
４６  記憶部
４７  メモリ
４８  バス
１００  医用画像表示システム
４６１  画像ビューワプログラム
Ｄ１  画像ファイル
Ｄ２  ＣＡＤ結果ファイル
Ｎ  ネットワーク
【図１】
2011110174.tif 000003
【図２】
2011110174.tif 000004
【図３】
2011110174.tif 000005
【図４】
2011110174.tif 000006
【図５】
2011110174.tif 000007
【図６】
2011110174.tif 000008
【図７】
2011110174.tif 000009
【図８】
2011110174.tif 000010